Podtech/llm-jp-corpus-v4-ja_patent huggingface dataset:
(57)【要約】【課題】  フードの空気流通口に風雨遮蔽板を可動自在に設けたフード付換気口において、騒音の発生を防止することができるフード付換気口を提供すること。【解決手段】  フードの下方に向かって開口する空気流通口の壁面側に該空気流通口を略全閉する広さの風雨遮蔽板の一端を水平線に対して傾斜した状態で可動自在に枢支したフード付換気口において、風雨遮蔽板とフードの一部に双方が同極同士の反発により接触しないようにする永久磁石を取り付けたことを特徴とする。【選択図】図２
2010249487.tif 000002
【特許請求の範囲】
【請求項１】
フードの下方に向かって開口する空気流通口の壁面側に該空気流通口を略全閉する広さの風雨遮蔽板の一端を水平線に対して傾斜した状態で可動自在に枢支したフード付換気口において、風雨遮蔽板とフードの一部に双方が同極同士の反発により接触しないようにする永久磁石を取り付けたことを特徴とするフード付換気口。
【発明の詳細な説明】
【技術分野】
【０００１】  この発明は、フードの下方に向かって開口する空気流通口の壁面側に空気流通口を略全閉する広さの風雨遮蔽板の一端を水平線に対して傾斜した状態で可動自在に枢支した自然換気用のフード付換気口において、風雨遮蔽板が閉鎖するときに発生する騒音を防止することができるフード付換気口関するものである。
【発明が解決しようとする課題】
【０００３】  出願人は先の特願２００９−４４８２８においてフードの空気流通口に風雨遮蔽板を可動自在に設けて壁面に沿って風と共に下方から吹き上げられる雨水の侵入を防止することができるフード付換気口を提案した。
【０００４】  このフード付換気口は壁面に沿って吹き上げられる風の力によって風雨遮蔽板が押し上げられ、枢支部を支点としてフードの空気流通口を閉鎖する方向に可動するようにしたもので、換気能力の低下をきたすことなく室内への雨水の侵入を防止することができるという効果においては何ら問題はなかったが、風雨遮蔽板が風圧によって閉鎖するときに風雨遮蔽板の一部がフードの一部に当接して騒音を発するという問題点があった。
【０００５】  そこで、上記欠点を解消するための最も簡単な方法として風雨遮蔽板とフードの一部に軟質のゴム等の消音材を貼着する方法が考えられるが、この場合でも消音材同士は衝突するので、衝突する際にフードや風雨遮蔽板を構成する金属板が振動して共鳴し、低い音ではあるが、騒音を発する可能性はある。
【０００６】  本発明は、このフード付換気口の問題点を解決するために、フードの空気流通口に風雨遮蔽板を可動自在に設けて壁面に沿って風と共に下方から吹き上げられる雨水の侵入を防止することができるフード付換気口において、風雨遮蔽板とフードの一部に双方が消音材同士を介しても接触しないようにするフード付換気口を提供するものである。
【課題を解決するための手段】
【０００７】  本発明に係るフード付換気口は、フードの下方に向かって開口する空気流通口の壁面側に該空気流通口を略全閉する広さの風雨遮蔽板の一端を水平線に対して傾斜した状態で可動自在に枢支したフード付換気口において、風雨遮蔽板とフードの一部に双方が同極同士の反発により接触しないようにする永久磁石を取り付けたことを特徴とするものである。
【発明の作用】
【０００８】  本発明では、壁面に沿って吹き上げられる風の力によって風雨遮蔽板が押し上げられ、枢支部を支点としてフードの空気流通口を閉鎖する方向に可動しても永久磁石の同極同士の反発により全く風雨遮蔽板とフード双方が接触することがない。
【発明を実施するための最良の実施形態】
【０００９】  図１は、フードを外した状態の本発明換気口の分解斜視図、図２は、本発明換気口の側面図、図３は、風雨遮蔽板が閉鎖した状態を表す本発明換気口の側面図である。
【００１０】  図１〜図３の実施例において、１は、壁面Ａに取り付けられる換気口本体であって、横風に乗って雨水が換気口１内に進入するのを防止するための下方に向かって開口する空気流通口ａを有するフード２を被せて取り付けるようにしてある。
【００１１】  ３は、換気口１のフランジの下端に左右に形成された軸受部１−１、１−１に軸３−１を以て一端を水平線に対して傾斜した状態で枢支した風雨遮蔽板であって、この傾斜角度は３５°〜４５°の範囲が好ましい。
【００１２】  ４−ａは、フード２の一部に取り付けられた永久磁石、４−ｂは、風雨遮蔽板３の前記永久磁石４−ａと対応する箇所に同極同士で反発するように取り付けられた永久磁石であって、両永久磁石４−ａ、４−ｂは加工がし易いゴム等の軟質のプラスチックにフェライト粉末を混入したゴム磁石が好ましいが、通常の永久磁石を換気口に適用できるように加工したものを用意しておいてもよいものである。。
【００１３】  次に、本発明のフード付換気口の作用を図面に基づいて具体的に説明する。
【００１４】  風のない通常の換気の際は図２のように風雨遮蔽板３は傾斜した状態を保ち、フード２の空気流通口ａは全開状態であるので、換気能力の低下をきたすことはない。
【００１５】  雨が降っていても風がないときには同じく風雨遮蔽板３は傾斜した状態を保ち、フード２の空気流通口ａは全開状態であるので、換気能力の低下をきたすことはない。
【００１６】  図２の状態において、風が吹き、壁面に沿って下方から矢印方向に風が吹き上げられた場合、風雨遮蔽板３が下方からの風圧によって軸３−１を支点として反時計方向に回転し、図３のようにフード２の空気流通口ａを閉鎖しようとするが、フード２及び風雨遮蔽板３双方に永久磁石４−ａ、４−ｂが取り付けてあり、同極同士で反発するようにしてあるため、風雨遮蔽板３がフード２に衝突するようなことが全くなく騒音を発するようなことが全くないものである。
【００１７】  以上述べた如く、本発明に係るフード付換気口によれば、フードの下方に向かって開口する空気流通口の壁面側に該空気流通口を略全閉する広さの風雨遮蔽板の一端を水平線に対して傾斜した状態で可動自在に枢支したフード付換気口において、風雨遮蔽板とフードの一部に双方が同極同士の反発により接触しないようにする永久磁石を取り付けたものであるから、換気能力の低下をきたすことなく室内への雨水の侵入を防止し、永久磁石の同極同士の反発により全く風雨遮蔽板とフード双方が接触することがないので、騒音の発生源となる振動の発生が全くなく、極めて静かな作動を実現することができるものである。
【図面の簡単な説明】
【００１８】
【図１】  フードを外した状態の本発明換気口の分解斜視図である。
【図２】  本発明換気口の側面図である。
【図３】  風雨遮蔽板が閉鎖した状態を表す本発明換気口の側面図である。
【符号の説明】
【００１９】      １            換気口
２            フード
３            風雨遮蔽板
４−ａ        永久磁石
４−ｂ        永久磁石
【図１】
2010249487.tif 000003
【図２】
2010249487.tif 000004
【図３】
2010249487.tif 000005
(57)【要約】      （修正有）【課題】三角配列のＵ字管形熱交換器における、Ｕ−管を支持固定する方法を提供する。【解決手段】管１のタンジェントライン位置を変えることにより、Ｕ−管曲り中央部に隙間を設け、その隙間に管固定軸４と管支持板５から構成される管支持固定装置を挿入して、Ｕ−管曲り中央部を支持固定する。すべての管支持固定装置が挿入された後に、管支持固定装置の両端を支え板に溶接固定する。前記管支持固定装置を挿入したことで、管支持間隔は短くなる。【選択図】図５
2010249488.tif 000002
【特許請求の範囲】
【請求項１】
管配置が三角配列で構成されているＵ字管形熱交換器において、Ｕ−管のタンジェントライン位置を管配置の各段毎に間隔を設けることにより、Ｕ−管曲り中央部に隙間をつくる。その隙間に管支持固定装置を挿入して、Ｕ−管を支持固定する方法。
【発明の詳細な説明】
【技術分野】
【０００１】この発明は、Ｕ字管形熱交換器の管配列が三角配列のとき、Ｕ−管曲り中央部に隙間を設け、その隙間に管支持固定装置を挿入して、管を支持固定する方法に関するものである。
【背景技術】
【０００２】従来、Ｕ字管形熱交換器の管配列が三角配列のとき、Ｕ−管曲り中央部には隙間がなく、管支持固定装置を挿入することが不可能であった。
【発明の開示】
【発明が解決しようとする課題】
【０００３】Ｕ字管形熱交換器において、Ｕ−管曲り部の管支持間隔が長いとき、あるいは管の振動が予想される場合には、管支持間隔を短くする方法がとられるが、管配置が三角配列の場合には適切な方法がなかった。本発明は、Ｕ−管曲り中央部に隙間を設け、管支持固定装置を挿入して、管を支持固定することで上記問題を解決したものである。
【課題を解決するための手段】
【０００４】Ｕ−管のタンジェントライン位置を管配列の各段毎に間隔を設けることで、Ｕ−管曲り中央部に隙間をつくり、その隙間に管支持固定装置を挿入する。
【発明の効果】
【０００５】Ｕ−管曲り中央部に隙間を儲けることにより、流体速度は減少し、また管支持固定装置を挿入したことで、管支持間隔は短くなり、管の振動もなくなった。
【発明を実施するための最良の形態】
【０００６】以下、本発明を実施するための最良の形態について説明する管配置は三角配列であり「図１」に示す。熱交換器を長手方向位置から見た図が「図２」、「図３」である。従来、Ｕ−管のタンジェントラインは「図２」のように「図１」に示す各段の管すべてが同じ位置にあります。従ってＵ−管曲り中央部には隙間は無いに等しいものです。本発明は「図３」のようにＵ−管のタンジェントラインは各段の管列毎に一定の間隔をとり配置します。従って、Ｕ−曲り中央部には一定の間隔をもった隙間ができます。これは管支持固定装置「図４」を挿入するために必要不可欠な隙間です。管支持固定装置は「図４」に示すように、管固定軸（４）と管支持板（５）より構成される。「図５」、「図６」は管支持固定装置「図４」が、Ｕ−管曲り中央部に挿入された状態を示す。管固定軸（４）は管（１）に接触するまで押し込む。また管の熱膨張を考慮して、管が伸びる場合には「図５」のように管の内側から管支持固定装置「図４」を挿入する。管が縮む場合には「図６」のように管の外側から管支持固定装置「図４」を挿入する。制作手順は「図１」の１段目管列を取り付け後に管支持固定装置「図４」を挿入し、２段目管列を取り付け後に管支持固定装置「図４」を挿入し、これを順次繰り返し行う。全ての管支持固定装置「図４」が挿入された後に「図７」に示すように管支持固定装置「図４」の両端を支え板（６），（７）に溶接固定し、さらに支え板（６），（７）を邪魔板（３）に溶接固定する。最後に支え板（８）を支え板（６）、（７）に溶接固定する。
【図面の簡単な説明】
【０００７】
【図１】三角配列の管配置図である。
【図２】従来のＵ−管曲り部の図である。
【図３】本発明のＵ−管曲り部の図である。
【図４】管支持固定装置の斜視図である。
【図５】管支持固定装置を挿入した斜視図である。
【図６】管支持固定装置を挿入した斜視図である
【図７】管支持固定装置、支え板の組み立て図である。
【符号の説明】
【０００８】１  管２  胴３  邪魔板４  管固定軸５  管支持板６  支え板７  支え板８  支え板
【図１】
2010249488.tif 000003
【図２】
2010249488.tif 000004
【図３】
2010249488.tif 000005
【図４】
2010249488.tif 000006
【図５】
2010249488.tif 000007
【図６】
2010249488.tif 000008
【図７】
2010249488.tif 000009
(57)【要約】【課題】太陽エネルギーを大地に熱エネルギーにして溜め込む熱ダムを施工しやすく、修理管理しやすくする。地中深くに埋めてしまう、底面の部分が、施工、維持管理とも非常に難しい。【解決手段】斜面と垂直面だけで構成し、底面の部分をなくす。【特許請求の範囲】
【請求項１】
大地の一定部分を、人工的断熱層で、熱的に遮断する方法において、地中の部分が斜面、垂直面の断熱壁だけで構成されていることを特徴とする太陽エネルギー貯蔵用の熱ダム。
【発明の詳細な説明】
【技術分野】
【０００１】  本発明は、太陽エネルギー貯蔵用の大地利用熱ダムの形状に関する。
【背景技術】
【０００２】  当出願人による熱ダムは立方体や円柱のような形状に大地を断熱壁で囲むということを想定していた。
【発明の開示】
【発明が解決しようとする課題】
【０００３】  地中深くにある底面にあたる部分の施工工事が大変であり、造ったあとの修理等に関しては、実際上不可能に近いものがあった。また大地からくる重圧も大きく、断熱壁もつぶされないよう大きな強度が要求されていた。
【課題を解決するための手段】
【０００４】対向する２つの斜面状に掘り込み、下部で連結する形にすると、底面にあたる部分がなくなる。三角柱を横倒しにし、とがった部分を下にして、地中に埋めたような形である。鋼材の板も、大きくなると自重でしなるため、これは円柱を半分に切り取って埋めたような形でも、同じである。
【発明の効果】
【０００５】施工、修理、管理が極めて容易、建設コストも大幅に下がる。
【発明を実施するための最良の形態】
【０００６】  三角形の一辺の長さが５０ｍ、横の長さも５０ｍ程度のもので説明する。断熱壁を構成する２枚の鉄板の間隔は、人が滑り込める最小の間隔の約３０ｃｍ。多数の箇所で、間伐材丸太を３０ｃｍの長さに切ったもので保持する。ここを金属にすると、熱が逃げやすい。この強度は土からかかる重量を十分支えきれる強さにする。斜面が急であるとこの重量は大幅に下がる。両端の垂直壁の部分は流動性のある液体のような土壌でない場合、ほとんど力がかからないが、念のため同様に造る。丸太の支えは鉄板に何らかの形状の突起物をつければ簡単に出来る。
鉄板の間の空間には、断熱材を施工、又は真空状態にする。アルミシートなどの反射材も入れる。これは隙間全体に入れる必要はない。間隔３０ｃｍとしたのは、横になって人が入れるようにするためで、本来なら数ｃｍでも構わないからである。
工事の人や、ロボット、工具、資材等は、すべてロープで吊ってすべり入れる。
熱ダムの形状は半球、四角錐などもあるが、すこし造りづらい。
人が入り込む必要なく作ることの出来る、斜面の長さ１０ｍ未満程度の熱ダムの場合は、幅１０ｃｍほどに斜め穴を土が崩れてこない程度の幅と角度で掘り、順次補強枠、断熱材などを、滑りいれるようにして作ることが出来る。ブル１日でほれるような大きさの場合における斜面壁の利点は、断熱材などの出し入れが、後から簡単に出来ると言うことにとどまる。
熱ダムを造るのに、全体を掘り起こすという方法は、例えば地表部分が３ｍ四方のものが１日のブルで出来るとしても、３０ｍ四方になっただけで、１０００日もかかってしまうと言うことになり、きわめて不利である。大容積のほとんどには全く手をつけず、境界面だけの施工と言うことが、大規模の場合、いかに経済的に重要かこれで認識できると思う。
断熱壁内側にかなりの隙間を設ける場合、そこを利用して、熱気や、蒸気を送り、暖めると言う方法も、考えられるが多少の難点がある。地中の熱交換は左右から斜めに掘り込んで、最下部で連通させた多数の小トンネル内を空気を循環させることで行うと良い。
(57)【要約】【課題】Ｃ重油を燃焼室内でガス化させて完全燃焼させる。【解決手段】円筒を水平に設置した燃焼室内部にＣ重油と空気を供給し燃焼を開始させると同時に制御装置と減速モータにより燃焼室を低速回転させる。燃焼室自体の温度が４５０度付近に到達するまで点火兼加熱バーナにより加熱を続け、燃焼室内部が４５０度に達した以降は温度上昇と比例して燃焼室の回転を速めることで、高温に蓄熱された燃焼室内壁と内部に供給されたＣ重油が連続して接触するためにＣ重油のガス化と燃焼が繰り返され燃焼室内部は更に蓄熱されて２０００度近くまで高温となりＣ重油を完全燃焼させることができる回転式蓄熱ガス化燃焼装置【選択図】図１
2010249421.tif 000002
【特許請求の範囲】
【請求項１】
水平方向に横向きにした缶体（以下、燃焼室という）と、外気を供給する送風筒と、Ｃ重油を供給するC重油給油管と、点火加熱装置を燃焼室ケースに取り付け、燃焼室ケース内で燃焼室を回転させ、燃焼室内部に外気とC重油を供給し点火加熱装置により点火過熱し燃焼させた状態で高温になった燃焼室内壁とC重油を連続して接触させて連続してガス化を促進させ燃焼することにより燃焼室自体が更に蓄熱されガス化と燃焼が激しくなりC重油を完全燃焼することができる特徴を持つ回転式蓄熱ガス化燃焼装置
【請求項２】
請求項１に記載した回転式蓄熱ガス化燃焼装置において、前述した燃焼室の回転速度を制御するための制御装置を備えた回転式蓄熱ガス化燃焼装置
【請求項３】
請求項１に記載した回転式蓄熱ガス化燃焼装置において、前述した送風筒へ供給する送風量を調整するための制御装置付き送風装置を備えた回転式蓄熱ガス化燃焼装置
【請求項４】
請求項１に記載した回転式蓄熱ガス化燃焼装置において、前述したC重油給油口に供給するC重油給油量を調整するための制御装置付き燃料ポンプを備えた回転式蓄熱ガス化燃焼装置
【請求項５】
請求項１に記載した回転式蓄熱ガス化燃焼装置において、無停電電源装置を備えた回転式蓄熱ガス化燃焼装置
【請求項６】
請求項１に記載した回転式蓄熱ガス化燃焼装置において、前述した送風筒の長辺を水平にしたときに垂直方向の断面が星型の形状をしており、燃焼室の過流回転方向の面の先端直前に送風口を設けることによって燃焼室内部の空気を過流させる特徴を持たせた星型送風筒を備えた回転式蓄熱ガス化燃焼装置
【請求項７】
請求項１に記載した回転式蓄熱ガス化燃焼装置において、前述した燃焼室を外気に直接触れないように外殻で覆うことにより前述の燃焼室内部の蓄熱効果を向上させた回転式蓄熱ガス化燃焼装置
【発明の詳細な説明】
【技術分野】
【０００１】
本発明はガス化が困難なＣ重油をガス化させて燃焼させる燃焼装置に関するものである。
【背景技術】
【０００２】
Ｃ重油は船舶や火力発電所の大型燃焼室用燃料として利用されておりＣ重油の燃焼方法は、単純に燃やす方法や石炭と混合して燃やす程度の単純な方法にとどまっている。
【０００３】
しかし、前述の利用方法では不完全燃焼が多く大気汚染の原因にもなり燃焼が非効率である。Ｃ重油は微細な固形物を取り除くことが困難なので噴射ノズルによる燃料供給が非効率でガス化は現状の技術をもっても困難である。
【０００４】
【発明の概要】
【発明が解決しようとする課題】
【０００５】
解決しようとする問題点は、Ｃ重油とC重油に含まれている微細な固形物をガス化し完全燃焼することができない点である。。
【課題を解決するための手段】
【０００６】
本発明は、ガス化しにくいC重油をガス化するために回転式の高熱蓄熱円筒型の燃焼室を備えた燃焼装置であることを最も主要な特徴とする。
【発明の効果】
【０００７】
本発明の燃焼装置は、Ｃ重油の完全燃焼を可能にし、大気汚染を軽減することができ、かつ燃焼室の構造上小型化が容易なため従来の大型施設（船舶や火力発電所の特殊な用途）だけでなく、より一般的な施設（例えば家庭や公衆浴場のボイラ）でのＣ重油の利用を可能にできる。そのため本発明は低コストで高カロリーなＣ重油の利用を一般に広く普及させる効果がある。
【図面の簡単な説明】
【０００８】
【図１】図１は回転式蓄熱ガス化燃焼室の実施方法を示した説明図である。
【発明を実施するための形態】
【０００９】
燃焼室を覆うステンレスケース１（以下ケースという）上に、水平方向に横向きにしてセラミックで製作した円筒形缶体（以下燃焼室２という）と、制御装置付き燃焼室用エアーバルブ３と制御装置付き高圧送風機４とセラミックで製作した星型送風筒５と制御装置付き燃料ポンプ６と燃料を供給するC重油給油管７（星型送風筒の中を通す）と制御装置付き点火兼加熱バーナ８と制御装置付き減速モータ９をケースに取り付ける。燃焼室はケース内で制御装置付き減速モータとベアリング１０により回転させる構造とする。熱膨張によるベアリングの動作不良を防ぐためにベアリングケースの切削精度は１０００分の５ｍｍ未満の精度を持つNC旋盤による加工が不可欠となる。点火兼過熱バーナで燃焼を開始させてから数秒後に制御装置付き燃料ポンプによりＣ重油を序々に供給させながら燃焼室を低速回転させ、高圧送風機から送られた空気を制御装置付き燃焼室用エアーバルブにより風量を必要に応じた制御をして星型送風筒へ空気を供給することにより燃焼室内部で供給された空気の流れは過流を開始する。この過流には燃焼室内部の熱を均等にすることでＣ重油のガス化と完全燃焼を手助けさせる効果がある。燃焼させた状態で点火兼加熱バーナによる加熱を続けたまま燃焼室の内壁温度を４５０度まで上昇させると燃焼室内壁とC重油は連続して接触することになり内壁とC重油の接触面で更に激しいガス化と燃焼が繰り返され完全燃焼を実現する。
【実施例１】
【００１０】
低コストで製作するために星型送風筒を四角型送風筒に変更して実施することも可能である。ただし燃焼室内部の空気の過流効果は星型のものよりは効果が落ちる。
【００１１】
燃料の低コスト化を図るためにＣ重油以外の燃料（廃油、作動油、グリセリン、廃食油等）を燃焼させる燃焼室としても利用可能である。
【符号の説明】
【００１２】
１  ケース
２  燃焼室
３  制御装置付き燃焼室用エアーバルブ
４  制御装置付き高圧送風機
５  星型送風筒
６  制御装置付き燃料ポンプ
７  Ｃ重油給油管
８  制御装置付き点火兼加熱バーナ
９  制御装置付き減速モータ
１０  ベアリング
【図１】
2010249421.tif 000003
(57)【要約】      （修正有）【課題】真空パックした金属又は合成樹脂板間の隙間を真空層として利用出来るので、容易に真空層を得ることが出来、その真空層は、防音、断熱と両方が利用できる。【解決手段】２枚の合成樹脂板にスペーサーをかませ、アルミラミネートフィルム１袋に入れて内部を真空にした。薄く軽い真空防音断熱パネルである。アルミラミネートフィルム１の袋を使い金属又は合成樹脂板を２枚あわせにして、その間にスペーサーをかませ、容易に真空層を作ることが出来る。その極薄／超軽量の真空層を防音／断熱に応用する。【選択図】図１
2010249304.tif 000002
【特許請求の範囲】
【請求項１】
金属板（アルミ、ステンレス、鉄等）又は合成樹脂板（ポリカーボネート／アクリル板  ２ｔから５ｔガラス板）２枚に微小空間を空け対面配置する。両板と周縁は密着しないように、その空間にスペーサーをかませ、アルミラミネートフィルムの袋で包み、その中を真空ポンプで減圧しシールする。２枚の合成樹脂板は互いに密着する事無く、スペーサーの厚み分、真空層を形成することを特徴とした真空防音断熱パネルである。
【請求項２】
互いに対抗する面にスペーサー（ピラミッド型、球形）を配置し２枚の板が点接触するようにした事を特徴とする防音断熱パネルである。
【発明の詳細な説明】
【技術分野】
【０００１】本発明は、住宅用防音ドア、パネル、産業用防音工事等に用いられる薄型、軽量の防音断熱板に関するものである。【０００２】真空は熱も音も伝えないと言う事は、よく知られていたが、建築部材での応用となると大気圧が１ｍ２に１０トンもかかり、よほど板厚を厚くしないと、平面体を作るのが困難であり重くなり、実用化は出来なかった。
【発明が解決しようとする課題】
【０００３】音楽を聴いたり、演奏したりする事はゆとり等、趣味の世界を楽しむための物であり、だからと言って、隣家に音を漏らしてはならない、住宅事情によっては、十分な防音がなされていないのが現状である。大きな音をたてると近隣トラブルの元であり、特に夜間の大音量は近所迷惑となり自粛されなければならないが、こういった時に軽量で高性能の防音パネルが使われるのが望ましい。
防音技術として、質量測の法則があり、ある程度の重さが無いと音は減少しないと言うのである。事実  防音ドアの高性能な物は１枚  ２００Ｋｇ、厚み２００ミリと重く厚く、一般家庭には装着しにくい物である。本発明は、軽量なプラスチック板を使い、真空中は音波を通さないという技術を利用し、軽量（１ｍ２＊８６０ｇ）プラスチック板で、真空層を作り高性能の防音ドアを製作できる。欠点が無い訳ではなく、切ったり、穴を空けたり出来ない等の弱点も有るが、また真空であるから従来の断熱材より高性能な断熱性能も同時に兼ね備えている。
【課題を解決するための手段】
【０００４】真空断熱性能と真空防音性能と２つの高性能を持ち、どこでも設置出来る軽量さと、設置場所を選ばない薄さで、防音、断熱が出来る高性能／防音材／断熱材を開発する。真空層を形成する為に、大気圧の圧力に負けないように、接触面積の少ない  ピラミッド型又は、球体のスペーサーを細かく配置し、真空の応力に負けないようにした物である。また  間単に真空層を得られるように、溶接などしなくとも良い、アルミラミネートフィルムで包んで排気する物である。
【発明の効果】
【０００５】本断熱／防音材は薄く、軽くて高性能である。本断熱材／防音材は真空断熱材と同等の性能を持ち、なお真空であるから防音効果にも優れている。
真空中は音、熱を通さない利点をいかしている。
【発明を実施するための形態】
【０００６】ここでは、ポリカードネート板２枚（９１０＊１８２０＊２ｔ）を合わせその間に、尖った熱伝導の悪い樹脂（０．５ミリから２ミリ）をスペーサーとして挿入する。これを気密性の高い、アルミラミネートフィルムの袋に入れて、真空排気を行い、シーラー等でシールし、断熱材・防音材を製作する。各厚みをポリカーボネート２．０ｔ＊２枚  スペーサー２．０ｔ（
2010249304.tif 000003
【実施例】
【０００７】上記で製作した極薄防音／断熱材は２ミリの真空層を持っているので、断熱材と防音材として両方で使用可能である。【０００８】スペーサーを用いず、樹脂板の成型時から突起となるスペーサーを当初から成型しても良い。空間を作る方法は問わない。【０００９】また  求める防音性能に空間（干渉空間）を作ることによって従来の防音材では、厚みを取ることが、部屋を狭くする事につながり、十分な空間を取れなかったが、本発明を使えば、十分な空間を作ることが出来る。【００１０】樹脂をアルミ板等の金属板に換え、同等の性能を出す事も出来る。またこの場合、製作単価も材質を換える事により安価な物／加工し易い物を選択できる。【００１１】このように、求める性能、コスト、厚みに、簡単に対応できる高性能防音／断熱材である。
【産業上の利用可能性】
【００１２】６ミリの軽量で極薄防音／断熱材を提供でき、希望の防音／断熱性能を、厚みで、選択する事が出来る。希望する防音／断熱性能を向上出来る結果、軽量、薄型防音／断熱材として適用できる。
【図面の簡単な説明】
【００１３】
【図１】金属又は合成樹脂板２枚を積層しラミネートフィルムに入れた物の断面図です。
【図２】スペーサー  配置図
【符号の説明】
【００１４】１．アルミラミネートフィルム
２．ゲッター
３  ２ミリから５ミリの合成樹脂板トップ
４  スペーサー樹脂、／セラミック球
５．ラムネートフィルムシール部分
６．２ミリから５ミリの合成樹脂板ボトム
７．真空層
８．スペーサー  上から見た図
【図１】
2010249304.tif 000004
【図２】
2010249304.tif 000005
(57)【要約】【課題】  コントロールケーブルに用いる外径４ミリ未満のシールドアウターケーシングの端部に、一体成形される合成樹脂製端末部材が、シールドアウターケーシングからの離脱強度が所定値（３００Ｎ）以上は有るものの、その値の安全度は僅かであり極めて所定値に近い値で離脱するため、離脱強度を安全圏内に高める点にある。【解決手段】  本発明は、コントロールケーブル用細物シールドアウターの端末に合成樹脂製の端末部材を一体成形する前にシールドアウターの端末にフレアー加工(５)を施し、その角度がシールドアウターの軸線に対して少なくとも９０度であることを特徴とする。【選択図】  図１
2010249238.tif 000002
【特許請求の範囲】
【請求項１】
摩擦抵抗の低い合成樹脂からなるパイプ状のライナー（２）と、該ライナーの外周に複数本の金属線を緩いピッチで螺旋巻きに巻き付けたシールド線層（３）と、該シールド線層の外周に可撓性を有する熱可塑性の合成樹脂被覆（４）とから成るコントロールケーブル用シールドタイプのアウタケーシング端部を、前記アウタケーシングの軸線に対して少なくとも９０度方向へ全周に亘ってフレアー状に突出させたフレアー加工（５)を特徴とするコントロールケーブル用細物シールドアウターの端末加工方法。
【発明の詳細な説明】
【技術分野】
【０００１】
本発明はコントロールケーブル用細物シールドアウターケーシング（以下「シールドアウター」という）の端末に合成樹脂製の端末部材を一体成形するため、シールドアウターの端末加工方法に関する。
【背景技術】
【０００２】
従来、コントロールケーブルに用いるシールドアウター（１）の基本的な構造は、摩擦抵抗の低い合成樹脂からなるパイプ状のライナー（２）と、該ライナーの外周に複数本の金属線を緩いピッチで螺旋巻きに巻き付けたシールド線層（３）と、該シールド線層の外周に可撓性を有する熱可塑性の合成樹脂被覆（４）とから構成されている。かかる構造のシールドアウターの端末に、キャップ等の合成樹脂製端末部材を一体成形することが一般的に行われているが、このような端末部材における所定の離脱強度を確保するため、シールドアウター端部にフレアー加工(５)を行う。
【０００３】
シールドアウターは、従来その外径は最小４ミリが限度であったが近年地球環境改善のための省エネルギーが叫ばれ、軽量化の目的で更に細い外径のシールドアウターの生産が望まれている。
【０００４】
前記のような要請に基づき外径が４ミリ未満のシールドアウターが開発された、しかし外径が４ミリ未満のシールドアウターのシールド層を構成する金属線の外径が０．２ミリ〜０．４５ミリであるので、従来の外径が４ミリのシールドアウターのものより０．０５ミリから０．２ミリ細く成り、又端末部材とシールドアウターの接触面積が外径４ミリのものと比較して小さく、従来の端末加工では端末部材の所定の離脱強度が確保出来なくなった。
【先行技術文献】
【特許文献】
【０００５】
【特許文献１】特公昭４３−９４８１号公報
【特許文献２】特開昭５４−１９０３８号公報
【発明の概要】
【発明が解決しようとする課題】
【０００６】
解決しようとする問題点は、外径４ミリ未満のシールドアウターの端部に一体成形される合成樹脂製端末部材の離脱強度が所定値に極めて近い値で離脱する点にある。
【課題を解決するための手段】
【０００７】
本発明は、コントロールケーブル用シールドアウターの端末に合成樹脂製の端末部材を一体成形する前にシールドアウターの端末にフレアー加工(５)を施し、その角度が軸線に対して少なくとも９０度であることを特徴とする。
【発明の効果】
【０００８】
本発明による端末加工方法によって外径４ミリ未満の細いシールドアウターであっても従来の外径４ミリのシールドアウターと同等の離脱強度を得る事が出来た。
【図面の簡単な説明】
【０００９】
【図１】図１はシールドアウターケーシングの構造とその端部の加工方法を示した切欠き側面図である。
【発明を実施するための形態】
【００１０】
本発明出願以前に特許文献１及び２で示されたような出願が成されている。即ち特許文献１に於いては図３で示されているようにパンチ２６によって軸線に対して約４５度方向に全周に亘って外方向に開いた方法が開示され、又特許文献２に於いてはシールド線を菊花形状に変形した突出部を設ける方法が示されている。
【００１１】
しかしながら、特許文献１に示された方法では開いた角度が浅いため、索端部材に対するシールドアウターに於ける引き方向の離脱強度が弱く一応所定の強度は得られるけれども、その値は安全圏ぎりぎりであり好ましくない。
【００１２】
又特許文献２に示された方法は、シールドアウターの外径が太く、従ってシールド層を構成する金属線の外径が０．５ミリ以上あるものに対しては加工が可能であるが、金属線の外径がそれ以下の細いものは金属線の腰が弱く適当ではない。
【００１３】
以上のような理由から鋭意研究の結果外径４ミリ未満のシールドアウターに於ける端末のフレアー加工(５)をシールドアウターの軸線に対して少なくとも９０度方向に突出させる方法を採用した。
【００１４】
【表１】
2010249238.tif 000003
【００１５】
外径４ミリ未満のシールドアウターと端末部材の離脱強度は３００Ｎ以上が望まれるが、シールドアウター端部のフレアー加工角度と端末部材の離脱強度の関係に就いて、今回開発された外径３ミリのシールドアウターでテストした結果を前記表１に示したように、４５度では６０Ｎしか規定値を超えていないため、十分な安全度を得るためには９０度でなければ成らないとの結論に達した。
【産業上の利用可能性】
【００１６】
本発明のコントロールケーブル用細物シールドアウターケーシングの端末加工方法としては極めて有効で、他の類似した分野にも適用できる。
【符号の説明】
【００１７】
１    シールドアウターケーシング
２    ライナー
３    シールド線層
４    合成樹脂被覆
５    フレアー加工
【図１】
2010249238.tif 000004
(57)【要約】      （修正有）【課題】メジャーは携行に不便なため置き忘れ等で実際の測定や移動しての計測に際して不便であり、それらを解決する。【解決手段】手首や上腕部等に容易に着脱可能なリストバンドと寸法計測用のメジャーを組合せ一体化したもので、常に携行でき移動しながらの計測ができるものである。【選択図】図１
2010060547.tif 000002
【特許請求の範囲】
【請求項１】
寸法を計測する為の巻き取り収納式のスケールメジャーであって、人の上腕部等に着脱容易なリストバンドと組合せ一体化したことを特徴とするスケールメジャー
【請求項２】
バンド部分は金属製板バネを内包した樹脂被覆体であり、その上面に取り付けたメジャー部は３６０度回転できることを特徴とした請求項１記載のスケールメジャー
【請求項３】
前記バンド部分に目盛を付けたことを特徴とした請求項１に記載のスケールメジャー
【請求項４】
前記バンド部分に蛍光を発生する機能をもたせたことを特徴とする請求項１に記載のスケールメジャー
【発明の詳細な説明】
【技術分野】
【０００１】  本発明は、巻き取り収納式の寸法測定用のスケールメジャーであって、人の手首、上腕部やその他のものに脱着可能なリストバンドを組み合わせたものである。
【背景技術】
【０００２】  巻き取り収納式のスケールメジャーは、寸法測定の際に広く用いられている。また、発光又は反射機能を備えた夜間の交通安全用のリストバンドも多く提案されている。しかしこれらを組み合わせたものは今まで提案されていない。
【発明の開示】
【発明が解決しようとする課題】
【０００３】  従来のスケールメジャーは、通常工具箱や収納袋に入れて保管し計測の際に取り出して用いるものである。また、移動して測定する際には置き忘れや紛失すること、さらには測定の度毎に取り出す必要があり作業に支障があった。【０００４】  また従来のメジャーは夜間や暗所では視認性が悪く作業に支障をきたしていた。【０００５】  立体状のものや円筒状のものを計測する際には、同時にけがき作業を行うことは両手を用いる必要がありやはり困難であった。
【課題を解決するための手段】
【０００６】  本発明者は、前述の問題点に鑑み鋭意研究した結果、本発明に至ったものである。
即ち、本発明は計測用のスケールメジャーに人の上腕部等に着脱可能なリストバンドを取り付け一体化したものである。
【発明の効果】
【０００７】  本発明のスケールメジャーを用いることで、メジャーを上腕部に装着しておけば必要な際にいつでも、移動しながらでも迅速に計測が行える。又、メジャー本体を手首に付けた状態で測定部分を引き出し測定することが可能で、かつ立体構造のものにも適応ができる。更に計測が終わった時点で、測定部を本体に収納し、別の作業に取りかかれる。特に移動しながらの計測に便利である。又メジャー部を回転できるようにすることで、被測定物の形状に合わせていろいろの方向に測定することができる。
【発明を実施するための最良の形態】
【０００８】  以下、本願発明の好ましい実施の形態について図面を参照し具体的に説明する。【０００９】  図１は、本考案のスケールメジャーであって、リストバンドは芯体として厚さ０．５ｍｍ程度のバネ鋼を用い外皮として目盛りが印刷されたビニール製のもの等が用いられる。その際にリストバンド表面に蛍光シートを貼り合わせることで暗部での視認性を高めることも可能である。スケールメジャーはバンド上面に取り付けるが取り付け面の垂直の軸に３６０℃回転できるものとする。なお、スケールはストッパーつきの自動復帰機能を有する巻き取り収納型が好ましい。図１のバンド部を大きくすることで大口径のパイプ状のものに巻き付けても計測が可能となる。
【産業上の利用可能性】
【００１０】  機械加工や建築作業等の広範囲の業務の中で、スケールを用いて寸法を計測することは多い。また移動しながらや、足場の悪いところ、いろいろの形状のものを計測することも多い。その際に、上腕部等に巻き付けておくことで一連の作業がが迅速、安全に行うことができ利用範囲は極めて広いものである。
【図面の簡単な説明】
【００１１】
【図１】リストバンドと組合せ一体化したメジャーの全体図
【図２】リストバンドに取り付けたメジャー部を上から見た図
【図３】リストバンドを取り付けた概念図
【図４】手首に取り付けたメジャーを引き出した図
【符号の説明】
【００１２】１．  リストバンド部
２．  メジャー部
【図１】
2010060547.tif 000003
【図２】
2010060547.tif 000004
【図３】
2010060547.tif 000005
【図４】
2010060547.tif 000006
(57)【要約】【課題】レンズを手に持たずに初心者でも検査が可能なレンズ検査装置を提供する。【解決手段】  レンズを保持する構造を有したレンズアダプターを、アダプターを収納する構造を有した回転板に置き、回転板は回転板を回転する構造を有した測定台に取り付ける。測定台は回転板を前後方向に傾ける構造を有した枠に取り付け、枠は回転板を左右方向に傾ける構造を有した検査台に取り付ける。レンズアダプター、回転板および測定台には透過検査が可能な穴などの開口部を設ける。以上を特徴とするレンズ検査装置である。【選択図】図２
2010060545.tif 000002
【特許請求の範囲】
【請求項１】
レンズを保持する構造を有したレンズアダプターを、アダプターを収納する構造を有した回転板に置き、回転板は回転板を回転する構造を有した測定台に取り付ける。測定台は回転板を前後方向に傾ける構造を有した枠に取り付け、枠は回転板を左右方向に傾ける構造を有した検査台に取り付ける。レンズアダプター、回転板および測定台には透過検査が可能な穴などの開口部を設ける。以上を特徴とするレンズ検査装置。
【発明の詳細な説明】
【技術分野】
【０００１】  この発明はレンズを手に持たずに初心者でも検査が可能なレンズ検査装置に関するものである。
【背景技術】
【０００２】  従来、レンズの検査は熟練者がレンズを手に持って行っていた。
【発明の開示】
【発明が解決しようとする課題】
【０００３】  そのために次のような問題点があった。
（イ）熟練者の育成が必要。
（ロ）初心者が行なうにはレンズホルダーに挟んだり、パレットにいれて現象を入念にに観察する必要があり、時間が掛かった。
（ハ）上記（イ）および（ロ）の場合は記録が困難だった。
本発明は、これらの問題点を改善する為になされたものである。
【課題を解決する為の手段】
【０００４】  レンズを保持する構造を有したレンズアダプターを、アダプターを収納する構造を有した回転板に置き、回転板は回転板を回転する構造を有した測定台に取りつける。測定台は回転板を前後方向に傾ける構造を有した枠に取り付け、枠は回転板を左右方向に傾ける構造を有した検査台に取り付ける。レンズアダプター、回転板および測定台には透過検査が可能な穴などの開口部を設ける。以上を特長とする検査装置である。
【発明の効果】
【０００５】  レンズの検査したい面を照明に対して最適な位置と角度に設定でき、状態を固定きるのでカメラなどの併用により初心者でも検査が可能となり、写真などの記録が容易になる。
【発明を実施する為の最良の状態】
【０００６】  以下本発明の実施の形態について説明する。
（イ）レンズ（１）と同等径の穴（３）とレンズ保持用ストッパー（４）またはレンズ押さえを有したレンズアダプタ（２）を、レンズアダプタ（２）を収納する構造を有した回転板（５）に収める。
（ロ）回転板（５）は回転構造および透過光用穴（２３）を有した測定台（７）に取り付ける。回転構造にガイドローラー（６ａ−６ｄ）の使用例を（図２）に示した。
（ハ）回転板（５）の回転を例えばベルト駆動する場合は、回転板（５）の下側にレンズ（１）の径より大きい穴を有したベルト駆動版（８）を設け、ベルト（１０）でモーター（９）に結合する。
（ニ）測定台（７）は測定台（７）を前後方向に角度変化できる構造の枠（１１）に支点１（１２）および駆動軸１（１３）に取り付ける。
（ホ）枠（１１）は測定台（７）を左右方向に角度変化できる構造の検査台（１４）に支点２（１５）および駆動軸２（１６）に取り付ける。
（ヘ）モーター（９）は制御回路（２２）で回転数を、モーター軸１（１３）は制御回路（２０）およびモーター軸２（１６）は制御回路（２１）で角度を設定できる構成にする。
本発明は以上の構造でこれを使用する時は、
（イ）レンズ（１）をレンズアダプター（２）に置く。
（ロ）透過検査の場合は（図３）のように照明（１７）を検査台（１４）の下側に配置し、検査台（１４）の真上より目視またはカメラ（１８）とモニター（１９）で検査する。
（ハ）反射検査の場合は、（図４）のように照明（１７）を検査台（１４）の斜め上側に配置し、検査台（１４）の斜め上より目視またはカメラ（１８）とモニター（１９）で検査する。
透過検査および反射検査とも、レンズ面と照明が最適な位置関係になるように制御回路でモーター（９）で回転方向角度を、モーター軸１（１３）で前後の角度およびモーター軸２（１６）で左右の角度を調整してレンズ検査する。
【図面の簡単な説明】
【０００７】
【図１】本発明の部分構成図
【図２】本発明の平面図  〔Ａ−Ａ断面図〕本発明の断面図  〔Ｂ−Ｂ断面図〕本発明の他の断面図
【図３】本発明の実施例図
【図４】本発明の他の実施例図
【符号の説明】
【０００８】１  レンズ
２  レンズアダプター
３  レンズ穴
４  レンズ保持用ストッパー
５  回転台
６ａ−６ｄ  ガイドローラー
７  測定台
８  ベルト駆動板
９  モーター軸
１０  ベルト
１１  枠
１２  支点１
１３  駆動軸１
１４  検査台
１５  支点２
１６  駆動軸２
１７  照明
１８  カメラ
１９  モニター
２０  制御回路
２１  制御回路
２２  制御回路
２３  透過光用穴
【図１】
2010060545.tif 000003
【図２】
2010060545.tif 000004
2010060545.tif 000005
【図３】
2010060545.tif 000006
【図４】
2010060545.tif 000007
【手続補正書】
【提出日】平成20年11月13日(2008.11.13)
【手続補正１】
【補正対象書類名】図面
【補正対象項目名】全図
【補正方法】変更
【補正の内容】
【図１】
2010060545.tif 000008
【図２】
2010060545.tif 000009
【図３】
2010060545.tif 000010
【図４】
2010060545.tif 000011
(57)【要約】【課題】冷蔵庫の扉を勢いよく開けても全開状態にならず、手を離すと扉を閉めることができる手段を提供する。【解決手段】冷蔵庫の扉外面に固着する吸盤１と、冷蔵庫の天井外面に固着する吸盤２をコイルばね３で連結させ、コイルばねをリング状の輪で通した飛散防止吸盤４を設けて、冷蔵庫の扉開閉具が構成されている。冷蔵庫の扉を開けてもコイルばねが伸びきったところまでしか開かないため外に出る冷気が半減され、ここで扉を離すとコイルばねの元にもどる力で扉は閉まることになる。また、万一コイルばねの両端に設けている吸盤が外れても飛散防止吸盤により食い止めることができる。【選択図】図１
2010060261.tif 000002
【特許請求の範囲】
【請求項１】
冷蔵庫の扉外面に固着する吸盤（１）と、冷蔵庫の天井外面に固着する吸盤（２）と、それらを繋ぐコイルばね（３）と、コイルばねをリング状の輪で通した飛散防止吸盤（４）からなることを特徴とする冷蔵庫の扉開閉具。
【発明の詳細な説明】
【技術分野】
【０００１】本発明は、冷蔵庫の扉閉め忘れ防止及び扉の全開防止に関するものである。
【背景技術】
【０００２】冷蔵庫の扉は、一定時間開放状態にしておくとブザーが鳴り知らせるものがあるほか、冷蔵庫内面にゴムやバネの弾力を利用して扉の閉め忘れ防止をするものがある（特許文献１）。また、扉を９０度のところで止めるものがある（特許文献２）。
【特許文献１】実開平６−２８５８６
【特許文献２】特開２００６−３３６９６６
【発明の開示】
【発明が解決しようとする課題】
【０００３】冷蔵庫の扉は、一定時間開放状態にしておくとブザーが鳴り知らせるものがあるが、扉を閉めることころまではしてくれない。また、冷蔵庫内面にゴムやバネの弾力を利用して扉の閉め忘れ防止器具を装着するものがあるが、冷蔵庫内面に器具を装着するため、冷蔵庫内の収納スペースが少なくなるなどの課題がある。仮に従来技術により冷蔵庫内面に器具を装着するものを、冷蔵庫の外面に装着して使用すると、扉を開放している状態でどちらかの吸盤が外れて体に当たり怪我をするなど課題がある。また、冷蔵庫の扉を勢いよく開けてしまうと扉は全開状態になってしまうため、扉を９０度付近で止めるものがあるが、すでに販売されてしまったものやそのような機能が付いていない冷蔵庫であれば９０度付近で扉を止めることができず、扉が全開状態になってしまうなどの課題がある。
【課題を解決するための手段】
【０００４】よって本発明は、この従来の不満点を解消し要求に応えるべく発明された冷蔵庫の扉開閉具であって、簡単な構造でありながら確実に扉を閉めることができるとともに９０度付近で止める機能が付いていない冷蔵庫であっても全開状態にしないことを目的とする。
【発明の効果】
【０００５】冷蔵庫の扉外面と天井外面に閉め忘れ防止器具を装着することにより、冷蔵庫内の収納スペースは狭くなることもなく、しかも簡単に装着することができる。コイルばねが伸びた状態でどちらか一方が外れても、コイルばねをリング状の輪で通した飛散防止吸盤のところで、食い止めることができるので安心安全である。そして、扉が全開状態になることがないため外に出る冷気が半減される。
【発明を実施するための最良の形態】
【０００６】本発明の構造は、冷蔵庫の扉外面に固着する吸盤と、冷蔵庫の天井外面に固着する吸盤と、それらを繋ぐコイルばねと、コイルばねをリング状の輪で通した飛散防止吸盤から構成されている。実施するための最良の形態は、冷蔵庫の扉はペットボトルや卵などが収納され重量があるため、コイルばねの両端の吸盤は約２キロの重量に耐えられる吸盤にするのがよい。コイルばねも太さ直径約１センチ、長さ約３０センチと冷蔵庫の扉開閉に耐えられるものにすることが必要である。コイルばねは、冷蔵庫の外側に装着するため、見た目にも美しい樹脂系コイルばねよい。また、万一コイルばねが伸びた状態でどちらか一方が外れることも考えられるので、コイルばねをリング状の輪で通した飛散防止吸盤を設けているが、飛散防止吸盤は、どちらが一方の吸盤を止めるためのものであるので、小型の吸盤で十分である。これを使用するには、冷蔵庫の扉外面上段に吸盤を固着し、次にもう一方の吸盤を固着するが、その位置はコイルばねが張った状態の位置で天井外面に固着をし、最後に飛散防止吸盤を天井外面のコイルばねの中間点付近で固着するとよい。これにより、冷蔵庫の扉を開けるとコイルばねが伸びきったところまで開き全開状態なることがなく、扉を離すとコイルばねの元に戻る力で扉は閉まることになる。
【実施例】
【０００７】発明の実施の形態を実施例にもとづき図面を参照して説明する。図１は、本発明の使用状態の説明図である。冷蔵庫を閉めている状態で、本発明の冷蔵庫の扉開閉具を装着している。冷蔵庫の扉と天井に吸盤を装着し、それらを繋ぐコイルばねを設け、コイルばねの中ほどに飛散防止吸盤を冷蔵庫の天井に装着している。また、コイルばねは、ゴムなどの弾性体に置き換えることもできる。【０００８】図３は、本発明の使用状態の説明図である。冷蔵庫を開けている状態で、本発明の冷蔵庫の扉開閉具のコイルばねが伸びている状態である。ここで扉を離すとコイルばねの元にもどる力で扉は閉まることになる。また、万一コイルばねの両端に設けている吸盤が外れても飛散防止吸盤により食い止めることができる。
【図面の簡単な説明】
【０００９】
【図１】閉まっている冷蔵庫に装着している斜視図である。
【図２】本発明の斜視図である。
【図３】開いている冷蔵庫に装着している斜視図である。
【符号の説明】
【０００１０】１  吸盤
２  吸盤
３  コイルばね
４  飛散防止吸盤
５  冷蔵庫
【図１】
2010060261.tif 000003
【図２】
2010060261.tif 000004
【図３】
2010060261.tif 000005
(57)【要約】【課題】    室内でたばこを吸うと、室内の空気を汚してしまい、たばこの嫌いな人に迷惑をかけることがあった。室内でたばこを吸っても簡単に屋外に換気できる装置がなかった。【解決手段】    ビニールで個室を作り、その個室からパイプをつないで、屋外へと煙を排出する。室内の空気を汚さずに喫煙することができ、室内の他人に迷惑をかけることもない。【選択図】図１
2010060259.tif 000002
【特許請求の範囲】
【請求項１】
ビニールで前後左右を覆う壁と天井を構成し、その壁の一部に煙排出用のパイプを連結してなる、室内で煙草を吸うための喫煙室。
【発明の詳細な説明】
【技術分野】
【０００１】  室内で空気を汚さずに煙草を吸える喫煙室に関するものである。
【背景技術】
【０００２】  室内でたばこを吸うと室内の空気が汚れてしまう。
【発明の開示】
【発明が解決しようとする課題】
【０００３】  室内でたばこを吸っても簡単に屋外に換気できる装置がなかった。煙草の嫌いな人にとってはつらかった。
【課題を解決するための手段】
【０００４】  室内でたばこを吸っても煙を外に出して、室内の空気を汚すことがない。
【発明の効果】
【０００５】  室内の空気を汚さずに喫煙できる。
【発明を実施するための最良の形態】
【０００６】  ビニールで前後左右及び天井をもった喫煙室をつくり、その喫煙室にパイプをつなぐ。喫煙を吸う人はそのビニール製の喫煙室に入って喫煙を行う。たばこの煙はパイプを通じて喫煙室の外部へと排出される。なお、パイプは屋外まで通しておけば、室内の空気を汚すこともない。また室内にいる他人に迷惑をかけることもない。
また、ビニールでできているので軽くすることができ、折りたたんで小さくすることもできるので、持ち運びが楽である。
また、空気清浄機のような装置も不要となる。
【図面の簡単な説明】
【０００７】
【図１】  本発明の概略図
【図１】
2010060259.tif 000003